(57)【要約】      （修正有）【課題】全体として撚りトルクが極めて少なく嵩高い紡績糸を提供する。【解決手段】一方向に加撚された芯糸Ａと、ドラフトされた巻き付き糸Ｄとを有し、巻き付き糸は芯糸とは逆方向に加撚して芯糸に交絡してあり、芯糸の有する撚りトルクと巻き付き糸の有する撚りトルクとが互いに逆方向となり、両者の撚りトルクが打ち消し合っており、全体として撚りトルクが極めて少なく嵩高いことを特徴とする。そして、リング精紡機を使用し、フロントローラに供給される芯糸と巻き付き糸との各センター間の供給幅が１〜２ｍｍで、巻き付き糸の加撚回数が芯糸の加撚回数の３５％〜５０％である。【選択図】図２
0003153942.tif 000002
【実用新案登録請求の範囲】
【請求項１】
一方向に加撚された芯糸と、ドラフトされた巻き付き糸とを有し、巻き付き糸は芯糸とは逆方向に加撚して芯糸に交絡してあり、芯糸の有する撚りトルクと巻き付き糸の有する撚りトルクとが互いに逆方向となり、両者の撚りトルクが打ち消し合っており、全体として撚りトルクが極めて少なく嵩高いことを特徴とする紡績糸。
【請求項２】
リング精紡機を使用し、フロントローラに供給される芯糸と巻き付き糸との各センター間の供給幅が１〜２ｍｍで、巻き付き糸の加撚回数が芯糸の加撚回数の３５％〜５０％であることを特徴とする請求項１記載の紡績糸。
【考案の詳細な説明】
【技術分野】
【０００１】
本考案は、紡績糸に係り、詳しくは芯糸と巻き付き糸とを加撚して交絡させることにより製造される紡績糸に関するものである。
【背景技術】
【０００２】
従来提供されている実撚を有する紡績糸を使用して織物や編物を製造すると、糸の撚りトルクによって、織物のパイルにねじれを生じたり、編物のニットラインが斜行したり、風合いの堅い製品ができるという欠点があった。
この改善策として、使用する紡績糸に、更に撚り止めのヒートセットを施したり、撚りを有する糸を２本引き揃えて互いに逆方向の撚りをかけ双糸加工を施したものを用いていた。
【０００３】
しかし、前記ヒートセット処理や双糸加工は、製造された紡績糸にその後施されるものなので、製造上の手間がかかり経済上得策ではない。
また、上記加工処理を施された糸は、風合いが堅くなるという問題点も有していた。
【０００４】
更に、糸の撚りトルクがバランスされた紡績糸として、実開平３−３０２７７号公報に記載された紡績糸が提供されている。
この紡績糸は、一方向に加撚されたコア繊維と逆の方向に強く巻き付けられたステープルファイバとをエアー噴出により絡めて製造する結束紡績糸である。
【０００５】
前記結束紡績によると、通常用いられるリング精紡機を使用することができず、経済上得策ではない上に、風合いのある糸の紡出も容易ではなかった。
【先行技術文献】
【特許文献】
【０００６】
【特許文献１】実開平３−３０２７７号公報
【考案の概要】
【考案が解決しようとする課題】
【０００７】
解決しようとする問題点は、単糸の状態で撚りトルクを極めて少なくし、嵩高く柔らかくしようとする点である
【課題を解決するための手段】
【０００８】
本考案は、単糸の状態で撚りトルクを極めて少なくし、嵩高く柔らかくするため、一方向に加撚された芯糸と、ドラフトされた巻き付き糸とを有し、巻き付き糸は芯糸とは逆方向に加撚して芯糸に交絡してあり、芯糸の有する撚りトルクと巻き付き糸の有する撚りトルクとが互いに逆方向となり、両者の撚りトルクが打ち消し合っていることを最も主要な特徴とする。
【考案の効果】
【０００９】
本考案の紡績糸は、巻き付き糸を芯糸とは逆方向に加撚して交絡してあるので、芯糸の有する撚りトルクと交絡させる巻き付き糸の有する撚りトルクとが互いに打ち消し合い、その結果、糸全体としてのトルクが零又は極めて少ないものとなる。
そして、本考案の紡績糸は、撚りトルクが零又は極めて少ないため、糸や布（特にニット布）にねじれ等を生ずることがない。
【００１０】
また、この紡績糸として綿繊維を用いた場合には、綿繊維では通常なし得ない嵩高い、柔らかい糸を製造することができるという利点がある。
更に、通常使用されているリング精紡機に、ガイド、テンション等の装置を設置するだけでリング紡績することができ、紡績工程の改造が安価に行うことができるとともに、安価に紡績糸を提供することができる。
【図面の簡単な説明】
【００１１】
【図１】図１は紡績糸の製造方法の概略を示した説明図である。
【図２】図２は交絡部の詳細図である。
【図３】図３は紡績糸の外観を示した図である。
【考案を実施するための形態】
【００１２】
単糸の状態で撚りトルクを極めて少なくし、嵩高く柔らかくするという目的を、通常のリング精紡機にガイド、テンション等の装置を設置するだけで、安価に製造できるようにした。
【実施例１】
【００１３】
図１は、本考案の紡績糸の製造方法の概略を示した説明図であり、Ａは芯糸、Ｄは巻き付き糸である。芯糸Ａは、既に一定方向に加撚されて製造された紡績糸を使用する。巻き付き糸Ｄは、ステープルファイバ束を使用する。
【００１４】
篠捲きＣから引き出された巻き付き糸Ｄは、トップとボトムとの上下でセットされた、バックローラ４、エプロン３を有するミドルローラ２、及びフロントローラ１からなるドラフト装置５により、所定の太さにまでドラフトされる。
【００１５】
一方、芯糸Ａは、巻き取られたボビンＢから引き出され、テンション装置６を介して、ガイド７，８を経て、前記フロントローラ１へ供給される。
【００１６】
所定の太さまでドラフトされた巻き付き糸Ｄは、図２の交絡部の詳細図に示すとおり、フロントローラ１において、芯糸Ａに加撚しながら交絡させる。
このとき、巻き付き糸Ｄと芯糸Ａとの供給幅Ｌは、１〜２ｍｍとする。即ち、フロントローラ１に供給される巻き付き糸Ｄと芯糸Ａとの各センター間の幅Ｌが１〜２ｍｍとなるように、両糸ＤＡをフロントローラ１に供給する。
【００１７】
巻き付き糸Ｄの加撚方向は、芯糸Ａの加撚方向とは逆方向とする。また、巻き付き糸Ｄの加撚回数は、芯糸Ａの加撚回数の３５％〜５０％とする。
図２に示す例においては、芯糸ＡをＳ撚りとし、巻き付き糸Ｄの加撚方向をＺ撚りとしてあるが、撚り方向はＳ，Ｚどちらの撚りを用いても良く、芯糸Ａの撚り方向と巻き付き糸Ｄを交絡させる際に加撚する撚り方向が逆方向であれば問題はない。
【００１８】
巻き付き糸Ｄを芯糸Ａに加撚しながら交絡させて製造された紡績糸Ｅは、バルーンをスネールワイヤ及びアンチノードリングベルトによりコントロールされ（以上、図示略）、トラベラ９の回転数及び重さにより加撚され、テンションコントロールをされながらボビンに巻き取られる。
【００１９】
このように、巻き付き糸Ｄを芯糸Ａとは逆方向に加撚して芯糸Ａに交絡したので、芯糸Ａの有する撚りトルクと巻き付き糸Ｄの有する撚りトルクとが互いに逆方向となり、両者の撚りトルクが打ち消し合い、単糸の状態で撚りトルクを極めて少なくし、嵩高く柔らかくすることができる。
【００２０】
本考案の紡績糸は、篠捲きＣ、ドラフト装置５、トラベラ９で構成されるリング精紡工程において、テンション装置６、ガイド７，８を有する糸供給装置を併設して芯糸Ａをフロントローラ１に供給することにより、通常使用されているリング紡績の工程を安価に改造することができる。
【産業上の利用可能性】
【００２１】
通常使用されているリング精紡機に、ガイド、テンション等の装置を設置することによって、リング紡績の工程の改造が安価に行うことができるとともに、安価に撚りトルクが極めて少なく、嵩高く柔らかい紡績糸を提供することができる。
【符号の説明】
【００２２】
Ａ    芯糸
Ｄ    巻き付き糸
Ｅ    紡績糸
１    フロントローラ
５    ドラフト装置
６    テンション装置
【図１】
0003153942.tif 000003
【図２】
0003153942.tif 000004
【図３】
0003153942.tif 000005